(57)【要約】【課題】プラスチックフィルム製収納袋等の、とりわけ粉末状や粒状体の食品やその他の物品を空気に触れさせないで保存するのに適した、新規なガス置換型の収納袋を提供することを目的とする。【解決手段】密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとを備え、別途用意した真空吸引ポンプを真空吸引ノズルに接続し、真空吸引ポンプを作動して前記包材内の空気は排出可能であり、別途用意したガス置換用ポンプをガス置換用ノズルに接続し、ガス置換用ポンプを作動して前記包材内に適宜ガスを充填可能としたことを特徴とするガス置換型の収納袋。【選択図】図８
2020121804.tif 000002
【特許請求の範囲】
【請求項１】
密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとを備え、
別途用意した真空吸引ポンプを真空吸引ノズルに接続し、真空吸引ポンプを作動して前記包材内の空気は排出可能であり、
別途用意したガス置換用ポンプをガス置換用ノズルに接続し、ガス置換用ポンプを作動して前記包材内に適宜ガスを充填可能としたことを特徴とするガス置換型の収納袋。
【請求項２】
前記逆止弁を内蔵した真空吸引ノズルは、前記包材内に収納した筒状フィルム製の連結部材を介して溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプのチューブを前記外筒内のハウジングの脱気口に装着し、真空吸引ポンプを作動して前記包材内の空気を排出した場合においては、前記逆止弁で外気が包材内に逆流しないようにしたことをも特徴とする請求項１に記載のガス置換型の収納袋。
【請求項３】
前記ハウジング内において弁口を脱気口側に向けて配設された逆止弁は、保持筒によってその筒状端部を保持され、また該保持筒はその側面及び底面に配置したパッキングにより前記ハウジング内に取り付けられており、前記底面のパッキングにはフィルタ部材の延長チューブを前記逆止弁の開口部に差込むための通孔が形成されていることを特徴とする請求項２記載のガス置換型の収納袋。
【請求項４】
前記逆止弁は、前記筒状端部に設けた外向きのフランジの外周に取付溝を形成し、前記保持筒の該当箇所に設けた内向きのフランジに前記取付溝をはめ込んで連結したことを特徴とする請求項２または３に記載のガス置換型の収納袋。
【請求項５】
前記ハウジング内において弁口を脱気口側に向けて配設された逆止弁は、弾性素材によって弁口部分が外向きのアーチ状に形成されており、かつその頂部にマイナスもしくはプラス状のスリットが弁口として形成されていることを特徴とする請求項２ないし４のいずれかに記載のガス置換型の収納袋。
【請求項６】
前記逆止弁を内蔵したガス置換用ノズルは、前記包材内に収納した筒状フィルム製の連結部材を介して溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことを特徴とする請求項２ないし５のいずれかに記載のガス置換型の収納袋。
【請求項７】
前記逆止弁用のハウジングは、包材の適宜位置へ取り付けられる筒状本体と、上端にガス置換ポンプのチューブを装着する挿気口を突設したキャップとを備え、前記弾性チューブを外周に沿って配設した筒状中芯を前記筒状本体の上からはめ込んで前記キャップを筒状本体に取り付けるようにしたことを特徴とする請求項６に記載のガス置換型の収納袋。
【請求項８】
前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、
前記外固定枠内に配置した弾性シートの内面に軟質素材からなる包材の内容物の投入口を介在させた上、前記押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことを特徴する請求項１ないし７のいずれかに記載のガス置換型の収納袋。
【請求項９】
前記両側部に突条を有する押え枠は、その両側部にＶ字状断面の突条が形成されており、前記押え枠の突条が前記袋を介して前記外固定枠内に配置した弾性シートの内面に圧入されることを特徴とする請求項８に記載のガス置換型の収納袋。
【請求項１０】
前記外固定枠と押え枠とを備えた前記包材の内容物の投入口の密閉機構は、その両側からＣ字状の圧締具をはめて抜け落ちるのを防止するようにしたことを特徴とする請求項８または９に記載のガス置換型の収納袋。
【請求項１１】
前記外固定枠は、前記押え枠の一端が前記外固定枠のどちらかの端部に回動可能に軸着してあり、前記押え枠が前記包材を介して前記外固定枠内に配置した弾性シートの内面に圧入されるようにしたことを特徴とする請求項８ないし１０のいずれかに記載のガス置換型の収納袋。
【発明の詳細な説明】
【技術分野】
【０００１】
本発明は、食品等を収納するための例えばプラスチックフィルム製の収納袋内の空気を、食品等が変質しないように不活性ガス等で置換することができるガス置換型の収納袋であり、特に粉末状や粒状体の食品やその他の物品を酸化させないで保存するのに適している。
【背景技術】
【０００２】
従来から、食品が入ったプラスチックフィルム製の収納袋内の空気を不活性ガス等で置換し、粉末状や粒状体の食品やその他の物品を酸化させないようにするガス置換のためのガス充填装置が種々提案されてきている。
しかしながら、そのようなガス置換のためのガス充填装置はいずれも非常に大型であり、また多大なコストをかけてガス置換するものであって、どこでも簡単にプラスチックフィルム製の収納袋内の空気をガス置換できるものとはなっていなかったのである。
【０００３】
例えば、特開２００６−３４７５６９号公報（特許文献１参照）には、粒状体の内容物が充填された容器内に更に液化ガスを充填してから容器を密封するような容器入り製品の製造方法において、容器内に内容物となる粒状体を充填してから、容器内に液化ガスを充填する際に、液化ガスを容器の胴部内面に沿わせて流入させることで、液化ガスを容器の底部付近にまで到達させることを特徴とする粒状体を内容物とする容器入り製品の製造方法が提案されている。
【先行技術文献】
【特許文献】
【０００４】
【特許文献１】特開２００６−３４７５６９号公報
【発明の概要】
【発明が解決しようとする課題】
【０００５】
しかしながら、いずれの技術も単に粉状体や粒状体の内部に含まれている空気を部分的に置換するようにしたものであり、粉末状や粒状体の食品やその他の物品を酸化させないようにするためには充分なものとはいえず、長期間の保存中に収納袋内の内容物が酸化あるいは変質してしまうという問題があった。
【０００６】
本発明はこの問題を解決するために創意工夫されたものであって、プラスチックフィルム製収納袋等の、とりわけ粉末状や粒状体の食品やその他の物品を空気に触れさせないで保存するのに適した、新規なガス置換型の収納袋を提供することを目的とするものである。
【課題を解決するための手段】
【０００７】
すなわち本発明のガス置換型の収納袋は、密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとを備え、
別途用意した真空吸引ポンプを真空吸引ノズルに接続し、真空吸引ポンプを作動して前記包材内の空気は排出可能であり、
別途用意したガス置換用ポンプをガス置換用ノズルに接続し、ガス置換用ポンプを作動して前記包材内に適宜ガスを充填可能としたことを特徴とするものである。
【０００８】
本発明のガス置換型の収納袋において、前記逆止弁を内蔵した真空吸引ノズルは、前記包材内に収納した筒状フィルム製の連結部材を介して包材に溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプのチューブを前記外筒内のハウジングの脱気口に装着し、真空吸引ポンプを作動して前記包材内の空気を排出した場合においては、前記逆止弁で外気が包材内に逆流しないようにしたことをも特徴とするものである。
【０００９】
本発明のガス置換型の収納袋において、前記ハウジング内において弁口を脱気口側に向けて配設された逆止弁は、保持筒によってその筒状端部を保持され、また該保持筒はその側面及び底面に配置したパッキングにより前記ハウジング内に取り付けられており、前記底面のパッキングにはフィルタ部材の延長チューブを前記逆止弁の開口部に差込むための通孔が形成されていることをも特徴とするものである。
【００１０】
本発明のガス置換型の収納袋において、前記逆止弁は、前記筒状端部に設けた外向きのフランジの外周に取付溝を形成し、前記保持筒の該当箇所に設けた内向きのフランジに前記取付溝をはめ込んで連結したことを特徴とするものである。
【００１１】
本発明のガス置換型の収納袋において、前記ハウジング内において弁口を脱気口側に向けて配設された逆止弁は、種々のゴム等の弾性素材によって弁口部分が外向きのアーチ状に形成されており、かつその頂部にマイナスもしくはプラス状のスリットが弁口として形成されていることをも特徴とするものである。
【００１２】
本発明のガス置換型の収納袋において、前記逆止弁を内蔵したガス置換用ノズルは、前記包材内に収納した筒状フィルム製の連結部材を介して包材に溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことをも特徴とするものである。
【００１３】
本発明のガス置換型の収納袋において、前記逆止弁用のハウジングは、包材の適宜位置へ取り付けられる筒状本体と、上端にガス置換ポンプのチューブを装着する挿気口を突設したキャップとを備え、前記弾性チューブを外周に沿って配設した筒状中芯を前記筒状本体の上からはめ込んで前記キャップを筒状本体に取り付けるようにしたことをも特徴とするものである。
【００１４】
本発明のガス置換型の収納袋において、前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、
前記外固定枠内に配置した弾性シートの内面に軟質素材からなる包材の内容物の投入口を介在させた上、前記押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことをも特徴とするものである。
【００１５】
本発明のガス置換型の収納袋において、前記両側部に突条を有する押え枠は、その両側部にＶ字状断面の突条が形成されており、前記押え枠の突条が前記袋を介して前記外固定枠内に配置した弾性シートの内面に圧入されることをも特徴とするものである。
【００１６】
本発明のガス置換型の収納袋において、前記外固定枠と押え枠とを備えた前記包材の内容物の投入口の密閉機構は、その両側からＣ字状の圧締具をはめて抜け落ちるのを防止するようにしたことを特徴とするものである。
【００１７】
本発明のガス置換型の収納袋において、前記外固定枠は、前記押え枠の一端が前記外固定枠のどちらかの端部に回動可能に軸着してあり、前記押え枠が前記包材を介して前記外固定枠内に配置した弾性シートの内面に圧入されるようにしたことを特徴とするものである。
【発明の効果】
【００１８】
請求項１のガス置換型の収納袋は、密閉可能な内容物の投入口を備えた軟質素材からなる包材に、逆止弁を内蔵した真空吸引ノズルと、逆止弁を内蔵したガス置換用ノズルとを取り付け、それぞれ別途用意した真空吸引ポンプを真空吸引ノズルに接続して前記包材内の空気を排出し、また別途用意したガス置換用ポンプをガス置換用ノズルに接続して前記包材内に適宜ガスを充填するようにしたものである。
したがって、粉状体や粒状体の内部に含まれている空気を完全にガス置換することができ、粉末状や粒状体の食品やその他の物品をほぼ完全に酸化あるいは変質させないようにすることが可能となり、長期間の保存の用途に耐え得る収納袋が提供できるのである。
【００１９】
請求項２ないし５のガス置換型の収納袋は、前記逆止弁を内蔵した真空吸引ノズルを採用し、逆止弁用のハウジングの脱気口に真空吸引ポンプのチューブを装着し、真空吸引ポンプを作動して前記包材内の空気を排出した場合においては、前記逆止弁で外気が包材内に逆流しないようになっている。したがって、ほぼ空気の残っていない状態でガス置換することができ、ガス置換効果の非常に高いガス置換型の収納袋を提供することができる。
【００２０】
請求項６および７のガス置換型の収納袋は、逆止弁を内蔵したガス置換用ノズルを採用しており、該逆止弁は中仕切りを備えるとともに、該中仕切りの両側にそれぞれ通気口を設けた筒状中芯と、該筒状中芯の外周に沿って配設し、その両端をそれぞれ結束バンドで固定した弾性チューブからなるものであって、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを容易に充填することができる。
他方、ガス充填を中断あるいは停止しても、弾性チューブが筒状中芯の通気口を閉止するため、収納袋内からガスが逆流することはない。
【００２１】
請求項８ないし１１のガス置換型の収納袋は、前記軟質素材からなる包材の内容物の投入口の密閉機構が、下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、
前記外固定枠内に配置した弾性シートの内面に軟質素材からなる包材の内容物の投入口を介在させた上、前記押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたものである。
したがって、軟質素材からなる包材の内容物の投入口を広くとって内容物の収納あるいは取出しを無理なく行うことができ、しかも内容物の投入口を非常に簡単な操作で、かつ非常に密閉性の高い状態に保持することができるようになった。
【図面の簡単な説明】
【００２２】
【図１】本発明のガス置換型の収納袋の１実施例を示し、内容物を収納しようとする状態の概略斜視図である。
【図２】収納袋の投入口を閉じようとする状態の概略斜視図である。
【図３】真空吸引ポンプを真空吸引ノズルに取り付けようとする状態の概略斜視図である。
【図４】真空吸引ポンプを真空吸引ノズルに取り付けて、脱気しようとする状態の概略斜視図である。
【図５】脱気し終わった状態の収納袋の概略斜視図である。
【図６】ガス置換用ポンプをガス置換用ノズルに取り付けようとする状態の概略斜視図である。
【図７】ガス置換用ポンプをガス置換用ノズルに取り付けて、ガス置換しようとする状態の概略斜視図である。
【図８】ガス置換し終わった状態の収納袋の概略斜視図である。
【図９】本発明のガス置換型の収納袋の他の実施例を示す概略斜視図である。
【図１０】逆止弁を内蔵した真空吸引ノズルを示す各パーツの分解状態斜視図である。
【図１１】各パーツの分解斜視断面図である。
【図１２】各パーツの組付工程を示すものであり、初期段階の分解斜視断面図である。
【図１３】中間段階の分解斜視図である。
【図１４】中間段階の分解斜視断面図である。
【図１５】（ａ）は組付け完了時の概略斜視図、（ｂ）は組付け完了時の概略斜視断面図である。
【図１６】真空吸引ノズルの包材への取付方法を説明するための概略斜視図である。
【図１７】逆止弁を内蔵したガス置換用ノズルを示す各パーツの分解状態斜視図である。
【図１８】各パーツの分解斜視断面図である。
【図１９】各パーツの組付工程を示すものであり、初期段階の分解斜視断面図である。
【図２０】中間段階の分解斜視断面図である。
【図２１】組付け完了時の概略斜視断面図である。
【図２２】組付け時のポイントを説明するための概略断面図である。
【図２３】（ａ）は組付け完了時の概略透視図、（ｂ）は組付け完了時の概略断面図である。
【図２４】ガス置換工程を示し、（ａ）はガスを圧入しようとする段階の概略断面図、（ｂ）はガスが筒状中芯と弾性チューブとの間に送り込まれた状態の概略断面図である。
【図２５】（ａ）はガスが筒状中芯と弾性チューブとの間を移動している初期段階の概略断面図、（ｂ）はガスが筒状中芯と弾性チューブとの間を移動している後期段階の概略断面図である。
【図２６】（ａ）はガスが筒状中芯の通気口から抜け出ようとしている段階の概略断面図、（ｂ）はガスが筒状中芯から抜け出た段階の概略断面図である。
【図２７】ガス置換用ノズルの取付方法を説明するための概略斜視図である。
【図２８】本発明において使用される内容物の投入口の密閉機構としての袋止め用クリップにおける押え枠の概略斜視図である。
【図２９】外固定枠、一対のテーパ部材、前記弾性シートおよび押え枠の分解断面図である。
【図３０】外固定枠の両端部にそれぞれ保持枠を取り付けようとする状態を示す概略斜視図である。
【図３１】保持枠を取り付けた状態の概略斜視図である。
【図３２】外固定枠に押え枠を取り付けようとする状態の概略斜視図である。
【図３３】組付け完了時の概略斜視図である。
【図３４】袋止め用クリップを包材の投入口に取り付けようとする状態の概略斜視図である。
【図３５】包材の投入口を押え枠で挟み込んだ状態の概略斜視図である。
【図３６】袋止め用クリップの包材の投入口への取付け完了時の概略斜視図である。
【図３７】（ａ）は外固定枠に押え枠を取り付けようとする状態の概略断面図、（ｂ）は取付け完了時の概略断面図である。
【発明を実施するための形態】
【００２３】
本発明を説明するための図１ないし図８において、ガス置換型の収納袋１１は密閉可能な内容物の投入口１３を備えた軟質素材からなる包材１２と、該包材１２の適宜位置へ取り付けた、逆止弁５１を内蔵した真空吸引ノズル１４と、また前記包材１２の別の位置に取り付けた、逆止弁１７を内蔵したガス置換用ノズル１６とを備えている。
なお、図１に示すように、内容物Ｍ（説明の都合上、粉状体ないし粒状体に代えて球体を用いた。）は前記包材１２の大口の投入口１３から投入される。
図において、Ｂは底板、Ｃは内容物Ｍを収納するケースである。
【００２４】
軟質素材からなる包材１２の例としては、ガスバリア性のあるポリ塩化ビニリデン等のフィルム素材や、フィルム素材と金属箔等との積層材料等を挙げることができる。
いずれにしても内容物やどの程度のガスバリア性能を要求するか等に応じて適宜素材を選択することができる。
【００２５】
次に、図２に示すように包材１２の大口の投入口１３に、内容物の投入口の密閉機構としての袋止め用クリップ８１を取り付けて密封する。該袋止め用クリップ８１の詳細は後述する。
その上で、図３に示すように別途用意した真空吸引ポンプ３１を真空吸引ノズル１４の脱気口１４ａに接続し、図４に示すように、真空吸引ポンプ３１を作動して前記包材１２内の空気は排出する。図５は前記包材１２内部の空気が排出された状態を示すものである。
【００２６】
また、図６に示すように、別途用意した高圧でガスを送り込むことができるガス置換用ポンプ３２をガス置換用ノズル１６に接続し、図７に示すように、前記ガス置換用ポンプ３２を作動して前記包材１２内に適宜ガスを充填するのである。図８は前記包材１２内にガスが充填され、ガス置換が完了した状態を示すものである。
【００２７】
図９は、包材１２ａの両側に投入口１３ａ，１３ｂを設け、それぞれに袋止め用クリップ８１ａ，８１ｂを取り付けた状態を示すものである。なおこの例において内容物Ｍは、前記包材１２ａよりやや小さな面積の保持板１２ｂに設けた複数の収納凹部１２ｃ内にそれぞれ収納され、所定間隔で保持されるようになっている。
ちなみに、図において１８は前記包材１２の上部に設けた持手である。
【００２８】
次に、図１０ないし図１５は軟質素材からなる包材１２の適所に配設される逆止弁を内蔵した真空吸引ノズル１４を説明するためのものであり、図１０は該逆止弁を内蔵した真空吸引ノズル１４を構成する各パーツの分解状態の斜視図であり、図１１は各パーツの分解状態の斜視断面図である。
前記包材１２に取り付けられる逆止弁を内蔵した真空吸引ノズル１４は、上端に真空吸引ポンプ３１のチューブを装着する脱気口１４ａを突設した逆止弁用のハウジング４１と、該ハウジング４１内において弁口５２を前記脱気口１４ａ側に向けて配設された逆止弁５１と、該ハウジング４１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００２９】
上端に真空吸引ポンプのチューブを装着するための脱気口１４ａを突設した前記逆止弁用のハウジング４１は、前記包材１２に適宜手段で内装される。すなわち、前記ハウジング４１を外筒４３内にはめ込んだ上、その上から蓋体４４を取付けて前記脱気口１４ａを蓋体４４の丸穴４５から突出させるのである。４６は前記脱気口１４ａに着脱自在に取り付けられるキャップ、４７は前記ハウジング４１下面と外筒４３の上端との間に介在させたワッシャである。
その上で、前記包材１２と外筒４３とを例えばプラスチックフィルムどうしの加熱による溶着や、接着剤を使用して接合する。
【００３０】
前記ハウジング４１内において弁口５２を前記脱気口１４ａ側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００３１】
前記ハウジング４１内において、弁口５２を前記脱気口１４ａ側に向けて配設された逆止弁５１は、ゴム系あるいは樹脂系等からなる弾性素材によって弁口５２部分が外向きのアーチ状に形成されており、かつその頂部にマイナスもしくはプラス状のスリットが弁口５２として形成してある。
【００３２】
次に図１２ないし図１６において前記逆止弁１５を内蔵した真空吸引ノズル１４を構成する各パーツの組付け工程を説明する。
図１２は逆止弁５１のハウジング４１、フィルタ部材６１のそれぞれを組み付ける経過を示すものであり、前記逆止弁５１のハウジング４１と包材１２との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００３３】
次いで図１３および図１４に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図１５（ａ），（ｂ）はそれぞれ完成状態の斜視図および斜視断面図、図１６は包材内に逆止弁を内蔵した真空吸引ノズルを挿入しようとする状態の概略斜視図である。
【００３４】
なお、軟質素材からなる包材１２内の空気は逆止弁５１を介して真空吸引ポンプ３１を用いて脱気する。
すなわち、図３ないし図５に示すように真空吸引ポンプ３１のチューブを脱気口１４ａに装着する。
その後、真空吸引ポンプ３１を作動すれば、前記包材１２内の空気は排出されるものの、前記逆止弁５１で外気が包材１２内に逆流することはない。
【００３５】
図１７ないし図２７は軟質素材からなる包材１２の適所に配設される逆止弁１７を内蔵したガス置換用ノズル１６を説明するためのものであり、図１７は該逆止弁１７を内蔵したガス置換用ノズル１６を構成する各パーツの分解状態の斜視図であり、図１８は各パーツの分解状態の斜視断面図である。
前記逆止弁１７を内蔵したガス置換用ノズル１６は、上端にガス置換ポンプ３２のチューブを装着する挿気口７２を突設した逆止弁用のハウジング７１と、該ハウジング７１内に装着した、中仕切り７４を備えるとともに、該中仕切り７４の両側にそれぞれ通気口７５，７５を設けた筒状中芯７３と、該筒状中芯７３の外周に沿って配設し、その両端をそれぞれ結束バンド７６，７６で固定した弾性チューブ７７とからなる逆止弁１７を内蔵している。７８は不使用時に挿気口７２に装着しておく密栓である。
前記弾性チューブ７７の素材としては、ゴム系あるいは樹脂系等の弾性素材から適宜の性質のものを選択することができる。
【００３６】
前記逆止弁用のハウジング７１は、前記逆止弁１７を保持するハウジング本体７１ａと、パッキング７１ｃを介して取り付けた、上端にガス置換ポンプ３２のチューブを装着する挿気口７２を形成したキャップ７１ｂとを備えている。
その上で、ハウジング本体７１ａの内壁に形成した下つぼまりの傾斜面を備えた段差７１ｄに、前記弾性チューブ７７を固定する上部の結束バンド７６を係合させる。
【００３７】
次に図１９ないし図２７において前記逆止弁１７を内蔵したガス置換用ノズル１６を構成する各パーツの組付け工程を説明する。
まず、図１９に示すように、筒状中芯７３の外周に沿って弾性チューブ７７を配設し、その両端にそれぞれ結束バンド７６，７６を取り付ける。
次いで、図２０に示すように、ハウジング本体７１ａの上方から逆止弁１７を落とし込み、ハウジング本体７１ａの内壁に形成した下つぼまりの傾斜面を備えた段差７１ｄに上部の結束バンド７６を係合させて固定する。
その上で、図２１に示すように、ハウジング本体７１ａの上端にキャップ７１ｂを装着する。
その際、図２２に示すように、前記筒状中芯７３の上端を結束バンド７６の上部に突出させておき、前記結束バンド７６を前記段差７１ｄに係合させた状態で前記キャップ７１ｂをねじ込んで行けば、図２３に示すように、前記筒状中芯７３は上部に結束バンド７６に保持された状態でスライドし、適宜位置に保持される。
【００３８】
その上で、別途用意したガス置換用ポンプ３２をガス置換用ノズル１６に接続してガス置換用ポンプ３２を作動させた状態を図２４ないし図２６に示す。
すなわち、ガス置換用ポンプ３２を作動させると、図２４（ａ）に示すように前記挿気口７２から中仕切り７４に達し、筒状中芯７３内にガスが充満する。
さらにガスを送り続けると、図２４（ｂ）に示すように、そのガス圧で筒状中芯７３に設けた一方の通気口７５から筒状中芯７３と弾性チューブ７７との間に送り込まれる。
さらに送り込まれたガスは、図２５（ａ），（ｂ）のように筒状中芯７３と弾性チューブ７７との間を通って移動する。
その後ガスは、図２６（ａ），（ｂ）のように他方の通気口７５を通って前記包材１２内に充填されるのである。
図２７はガス置換用ノズル１６の取付方法を説明するためのものである。
【００３９】
図２８ないし図３７は本発明において使用される内容物の投入口の密閉機構としての袋止め用クリップを示すものである。
前記袋止め用クリップ８１は、弾性シート１０４の内面に沿って配置されるくさび式の押え枠８２を備えている。
図２８に示すように、本例の下向きの開口を備えたコ字状断面の押え枠８２は、その一端に外固定枠１０２の端部に形成した軸孔１０２ａと連通する軸孔８２ａが形成してある。
また、コ字状断面の押え枠８２の他端の外周には、筒状の抜止めストッパ８２ｂが固着されている。
図２９は前記外固定枠１０２、前記一対のテーパ部材１０３、前記弾性シート１０４および押え枠８２の分解状態を示すものである。
【００４０】
図３０は前記外固定枠１０２に左右一対のテーパ部材１０３を組み込み、さらに前記弾性シート１０４を前記外固定枠１０２のテーパ状の内面に沿って配設した上、前記外固定枠１０２の両端部にそれぞれ保持枠８３，８４を取り付けようとする状態を示すものである。
前記外固定枠１０２の端部に形成した軸孔１０２ａ側の保持枠８３は、基本的に前記外固定枠１０２の端部の外側にはめ込まれるコ字状の側壁８３ａおよび底壁８３ｂを備え、さらに長さ方向の壁面には押え枠８２の前記外固定枠１０２から突出する部分をはめ込むガイド部８３ｃが突設されている。８３ｄは前記外固定枠１０２の端部に固着するためのネジ孔である。
【００４１】
図３０において、他方の保持枠８４も、基本的に前記外固定枠１０２の端部の外側にはめ込まれるコ字状の側壁８４ａおよび底壁８４ｂを備え、さらに長さ方向の壁面には押え枠８２の前記外固定枠１０２から突出する部分をはめ込むＵ字状抜止め部８４ｃが突設されている。
図３１は前記外固定枠１０２の両端部にそれぞれ保持枠８３，８４を取り付けた状態を示すものであり、図３２はさらに前記外固定枠１０２に押え枠８２を軸着しようとする状態を示すものである。そして図３３のように、前記保持枠８３に設けた軸着用の欠損部８３ｅから、軸ピン８５を前記外固定枠１０２の端部に形成した軸孔１０２ａおよび押え枠８２の軸孔８２ａに挿通して軸着する。
【００４２】
その上で、図３４および図３７（ａ）に示すように、前記外固定枠１０２の開口部１０２ａから袋９１のシート状の開口部をはめ込み、その上から前記押え枠８２を首振りさせて押し込むのである。図３５はその状態を示すものであり、前記Ｕ字状抜止め部８４ｃの上部に設けた貫通孔８４ｄに抜止め用ピン８６をはめ込もうとしている状態を示している。
図３６および図３７（ｂ）は前記押え枠８２が前記袋９１を介して前記外固定枠１０２内に配置した弾性シート１０４の内面に圧入された状態を示すものである。
すなわち、前記コ字状の押え枠８２の端部が前記袋９１を介して前記外固定枠１０２内に配置した弾性シート１０４の内面にかみ合い、前記袋９１の開口部を確実に密閉するようになっている。
その際前記押え枠８２は、その先端に取り付けた前記抜止めストッパ８２ｂがＵ字状抜止め部８４ｃに取り付けた前記抜止め用ピン８６と係合し、確実に抜止めできるようになっている。
【００４３】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋９１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋９１の素材やその開口部のサイズ、使用目的（内容物その他）、前記押え枠や羽根板との相性等に応じて決定することができる。
【００４４】
本発明者が実験したところによれば、米や豆等の穀物、茶葉やシイタケ、魚介類等の生鮮食品やその乾物類、穀粉等を袋９１に詰めて真空吸引ポンプ機構で脱気し、さらにガス充填したところ、１年以上経過しても米や豆等の穀物、茶葉やシイタケ、魚介類等の生鮮食品やその乾物類、穀粉等は新鮮な状態に保たれたままであって何ら気密性が損なわれることはなく、充填物には変色等も見られなかった。
【産業上の利用可能性】
【００４５】
以上のように、本発明は粉末状や粒状体の食品やその他の物品を空気に触れさせないで保存するのに適した、新規なガス置換型の収納袋を提案したものであるが、本発明の趣旨を変更しない限り、その他の用途にも適用できることはいうまでもない。
【符号の説明】
【００４６】
１１  収納袋
１２  包材
１２ａ  包材
１２ｂ  保持板
１２ｃ  収納凹部
１３  投入口
１３ａ，１３ｂ  投入口
１４  真空吸引ノズル
１４ａ  脱気口
１５  逆止弁
１６  ガス置換用ノズル
１７  逆止弁
１８  持手
３１  真空吸引ポンプ
３２  ガス置換用ポンプ
４１  逆止弁用のハウジング
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ
７１  逆止弁用のハウジング
７１ａ  ハウジング本体
７１ｂ  キャップ
７１ｃ  パッキング
７１ｄ  段差
７２  挿気口
７３  筒状中芯
７４  中仕切り
７５，７５  通気口
７６，７６  結束バンド
７７  弾性チューブ
７８  密栓
８１  袋止め用クリップ
８１ａ，８１ｂ  袋止め用クリップ
８２  押え枠
８２ａ  軸孔
８２ｂ  抜止めストッパ
８３  保持枠
８３ａ  側壁
８３ｂ  底壁
８３ｃ  ガイド部
８３ｄ  ネジ孔
８３ｅ  欠損部
８４  保持枠
８４ａ  側壁
８４ｂ  底壁
８４ｃ  Ｕ字状抜止め部
８４ｄ  貫通孔
８５  軸ピン
８６  抜止め用ピン
９１  袋
１０２  外固定枠
１０２ａ  軸孔
１０２ｂ  開口部
１０３  テーパ部材
１０４  弾性シート
Ｍ  内容物
Ｂ  底板
Ｃ  ケース
【図１】
2020121804.tif 000003
【図２】
2020121804.tif 000004
【図３】
2020121804.tif 000005
【図４】
2020121804.tif 000006
【図５】
2020121804.tif 000007
【図６】
2020121804.tif 000008
【図７】
2020121804.tif 000009
【図８】
2020121804.tif 000010
【図９】
2020121804.tif 000011
【図１０】
2020121804.tif 000012
【図１１】
2020121804.tif 000013
【図１２】
2020121804.tif 000014
【図１３】
2020121804.tif 000015
【図１４】
2020121804.tif 000016
【図１５】
2020121804.tif 000017
【図１６】
2020121804.tif 000018
【図１７】
2020121804.tif 000019
【図１８】
2020121804.tif 000020
【図１９】
2020121804.tif 000021
【図２０】
2020121804.tif 000022
【図２１】
2020121804.tif 000023
【図２２】
2020121804.tif 000024
【図２３】
2020121804.tif 000025
【図２４】
2020121804.tif 000026
【図２５】
2020121804.tif 000027
【図２６】
2020121804.tif 000028
【図２７】
2020121804.tif 000029
【図２８】
2020121804.tif 000030
【図２９】
2020121804.tif 000031
【図３０】
2020121804.tif 000032
【図３１】
2020121804.tif 000033
【図３２】
2020121804.tif 000034
【図３３】
2020121804.tif 000035
【図３４】
2020121804.tif 000036
【図３５】
2020121804.tif 000037
【図３６】
2020121804.tif 000038
【図３７】
2020121804.tif 000039
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとで構成され、
前記逆止弁を内蔵した真空吸引ノズルは、前記包材内に収納した筒状フィルム製の連結部材を介して溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプを真空吸引ノズルに接続し、真空吸引ポンプを作動して前記包材内の空気を排出した場合においては、前記逆止弁で外気が包材内に逆流しないようになっており、
別途用意したガス置換用ポンプをガス置換用ノズルに接続し、ガス置換用ポンプを作動して前記包材内に適宜ガスを充填可能としたことを特徴とするガス置換型の収納袋。
【請求項２】
前記ハウジング内において弁口を脱気口側に向けて配設された逆止弁は、保持筒によってその筒状端部を保持され、また該保持筒はその側面及び底面に配置したパッキングにより前記ハウジング内に取り付けられており、前記底面のパッキングにはフィルタ部材の延長チューブを前記逆止弁の開口部に差込むための通孔が形成されていることを特徴とする請求項１記載のガス置換型の収納袋。
【請求項３】
前記ハウジング内において弁口を脱気口側に向けて配設された逆止弁は、弾性素材によって弁口部分が外向きのアーチ状に形成されており、かつその頂部にマイナスもしくはプラス状のスリットが弁口として形成されていることを特徴とする請求項１または２に記載のガス置換型の収納袋。
【請求項４】
前記逆止弁を内蔵したガス置換用ノズルは、前記包材内に収納した筒状フィルム製の連結部材を介して溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことを特徴とする請求項１ないし３のいずれかに記載のガス置換型の収納袋。
【請求項５】
前記逆止弁用のハウジングは、包材の適宜位置へ取り付けられるハウジング本体と、上端にガス置換ポンプのチューブを装着する挿気口を突設したキャップとを備え、前記弾性チューブを外周に沿って配設した筒状中芯を前記ハウジング本体の上からはめ込んで前記キャップをハウジング本体に取り付けるようにしたことを特徴とする請求項４に記載のガス置換型の収納袋。
【請求項６】
前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に下向きの突条を有するコ字状の押え枠とを備え、
前記外固定枠内に配置した弾性シートの内面に軟質素材からなる包材の内容物の投入口を介在させた上、前記コ字状の押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことを特徴する請求項１ないし５のいずれかに記載のガス置換型の収納袋。
【請求項７】
前記外固定枠は、前記コ字状の押え枠の一端が前記外固定枠のどちらかの端部に回動可能に軸着してあり、前記押え枠が前記包材を介して前記外固定枠内に配置した弾性シートの内面に圧入されるようにしたことを特徴とする請求項６に記載のガス置換型の収納袋。
【手続補正２】
【補正対象書類名】明細書
【補正対象項目名】全文
【補正方法】変更
【補正の内容】
【発明の詳細な説明】
【技術分野】
【０００１】
本発明は、食品等を収納するための例えばプラスチックフィルム製の収納袋内の空気を、食品等が変質しないように不活性ガス等で置換することができるガス置換型の収納袋であり、特に粉末状や粒状体の食品やその他の物品を酸化させないで保存するのに適している。
【背景技術】
【０００２】
従来から、食品が入ったプラスチックフィルム製の収納袋内の空気を不活性ガス等で置換し、粉末状や粒状体の食品やその他の物品を酸化させないようにするガス置換のためのガス充填装置が種々提案されてきている。
しかしながら、そのようなガス置換のためのガス充填装置はいずれも非常に大型であり、また多大なコストをかけてガス置換するものであって、どこでも簡単にプラスチックフィルム製の収納袋内の空気をガス置換できるものとはなっていなかったのである。
【０００３】
例えば、特開２００６−３４７５６９号公報（特許文献１参照）には、粒状体の内容物が充填された容器内に更に液化ガスを充填してから容器を密封するような容器入り製品の製造方法において、容器内に内容物となる粒状体を充填してから、容器内に液化ガスを充填する際に、液化ガスを容器の胴部内面に沿わせて流入させることで、液化ガスを容器の底部付近にまで到達させることを特徴とする粒状体を内容物とする容器入り製品の製造方法が提案されている。
【先行技術文献】
【特許文献】
【０００４】
【特許文献１】特開２００６−３４７５６９号公報
【発明の概要】
【発明が解決しようとする課題】
【０００５】
しかしながら、いずれの技術も単に粉状体や粒状体の内部に含まれている空気を部分的に置換するようにしたものであり、粉末状や粒状体の食品やその他の物品を酸化させないようにするためには充分なものとはいえず、長期間の保存中に収納袋内の内容物が酸化あるいは変質してしまうという問題があった。
【０００６】
本発明はこの問題を解決するために創意工夫されたものであって、プラスチックフィルム製収納袋等の、とりわけ粉末状や粒状体の食品やその他の物品を空気に触れさせないで保存するのに適した、新規なガス置換型の収納袋を提供することを目的とするものである。
【課題を解決するための手段】
【０００７】
すなわち本発明のガス置換型の収納袋は、密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとで構成され、
前記逆止弁を内蔵した真空吸引ノズルは、前記包材内に収納した筒状フィルム製の連結部材を介して溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプを真空吸引ノズルに接続し、真空吸引ポンプを作動して前記包材内の空気を排出した場合においては、前記逆止弁で外気が包材内に逆流しないようになっており、
別途用意したガス置換用ポンプをガス置換用ノズルに接続し、ガス置換用ポンプを作動して前記包材内に適宜ガスを充填可能としたことを特徴とするものである。
【０００８】
本発明のガス置換型の収納袋において、前記ハウジング内において弁口を脱気口側に向けて配設された逆止弁は、保持筒によってその筒状端部を保持され、また該保持筒はその側面及び底面に配置したパッキングにより前記ハウジング内に取り付けられており、前記底面のパッキングにはフィルタ部材の延長チューブを前記逆止弁の開口部に差込むための通孔が形成されていることをも特徴とするものである。
【０００９】
本発明のガス置換型の収納袋において、前記ハウジング内において弁口を脱気口側に向けて配設された逆止弁は、弾性素材によって弁口部分が外向きのアーチ状に形成されており、かつその頂部にマイナスもしくはプラス状のスリットが弁口として形成されていることをも特徴とするものである。
【００１０】
本発明のガス置換型の収納袋において、前記逆止弁を内蔵したガス置換用ノズルは、前記包材内に収納した筒状フィルム製の連結部材を介して溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことをも特徴とするものである。
【００１１】
本発明のガス置換型の収納袋において、前記逆止弁用のハウジングは、包材の適宜位置へ取り付けられるハウジング本体と、上端にガス置換ポンプのチューブを装着する挿気口を突設したキャップとを備え、前記弾性チューブを外周に沿って配設した筒状中芯を前記ハウジング本体の上からはめ込んで前記キャップをハウジング本体に取り付けるようにしたことをも特徴とするものである。
【００１２】
本発明のガス置換型の収納袋において、前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に下向きの突条を有するコ字状の押え枠とを備え、
前記外固定枠内に配置した弾性シートの内面に軟質素材からなる包材の内容物の投入口を介在させた上、前記コ字状の押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことをも特徴するものである。
【００１３】
本発明のガス置換型の収納袋において、前記外固定枠は、前記コ字状の押え枠の一端が前記外固定枠のどちらかの端部に回動可能に軸着してあり、前記押え枠が前記包材を介して前記外固定枠内に配置した弾性シートの内面に圧入されるようにしたことをも特徴とするものである。
【発明の効果】
【００１４】
請求項１のガス置換型の収納袋は、密閉可能な内容物の投入口を備えた軟質素材からなる包材に、逆止弁を内蔵した真空吸引ノズルと、逆止弁を内蔵したガス置換用ノズルとを取り付け、それぞれ別途用意した真空吸引ポンプを真空吸引ノズルに接続して前記包材内の空気を排出し、また別途用意したガス置換用ポンプをガス置換用ノズルに接続して前記包材内に適宜ガスを充填するようにしたものである。
したがって、粉状体や粒状体の内部に含まれている空気を完全にガス置換することができ、粉末状や粒状体の食品やその他の物品をほぼ完全に酸化あるいは変質させないようにすることが可能となり、長期間の保存の用途に耐え得る収納袋が提供できるのである。
【００１５】
また請求項１ないし３のガス置換型の収納袋は、前記逆止弁を内蔵した真空吸引ノズルを採用し、逆止弁用のハウジングの脱気口に真空吸引ポンプのチューブを装着し、真空吸引ポンプを作動して前記包材内の空気を排出した場合においては、前記逆止弁で外気が包材内に逆流しないようになっている。したがって、ほぼ空気の残っていない状態でガス置換することができ、ガス置換効果の非常に高いガス置換型の収納袋を提供することができる。
【００１６】
請求項４または５のガス置換型の収納袋は、逆止弁を内蔵したガス置換用ノズルを採用しており、該逆止弁は中仕切りを備えるとともに、該中仕切りの両側にそれぞれ通気口を設けた筒状中芯と、該筒状中芯の外周に沿って配設し、その両端をそれぞれ結束バンドで固定した弾性チューブからなるものであって、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを容易に充填することができる。
他方、ガス充填を中断あるいは停止しても、弾性チューブが筒状中芯の通気口を閉止するため、収納袋内からガスが逆流することはない。
【００１７】
請求項６または７のガス置換型の収納袋は、前記軟質素材からなる包材の内容物の投入口の密閉機構が、下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、
前記外固定枠内に配置した弾性シートの内面に軟質素材からなる包材の内容物の投入口を介在させた上、前記押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたものである。
したがって、軟質素材からなる包材の内容物の投入口を広くとって内容物の収納あるいは取出しを無理なく行うことができ、しかも内容物の投入口を非常に簡単な操作で、かつ非常に密閉性の高い状態に保持することができるようになった。
【図面の簡単な説明】
【００１８】
【図１】本発明のガス置換型の収納袋の１実施例を示し、内容物を収納しようとする状態の概略斜視図である。
【図２】収納袋の投入口を閉じようとする状態の概略斜視図である。
【図３】真空吸引ポンプを真空吸引ノズルに取り付けようとする状態の概略斜視図である。
【図４】真空吸引ポンプを真空吸引ノズルに取り付けて、脱気しようとする状態の概略斜視図である。
【図５】脱気し終わった状態の収納袋の概略斜視図である。
【図６】ガス置換用ポンプをガス置換用ノズルに取り付けようとする状態の概略斜視図である。
【図７】ガス置換用ポンプをガス置換用ノズルに取り付けて、ガス置換しようとする状態の概略斜視図である。
【図８】ガス置換し終わった状態の収納袋の概略斜視図である。
【図９】本発明のガス置換型の収納袋の他の実施例を示す概略斜視図である。
【図１０】逆止弁を内蔵した真空吸引ノズルを示す各パーツの分解状態斜視図である。
【図１１】各パーツの分解斜視断面図である。
【図１２】各パーツの組付工程を示すものであり、初期段階の分解斜視断面図である。
【図１３】中間段階の分解斜視図である。
【図１４】中間段階の分解斜視断面図である。
【図１５】（ａ）は組付け完了時の概略斜視図、（ｂ）は組付け完了時の概略斜視断面図である。
【図１６】真空吸引ノズルの包材への取付方法を説明するための概略斜視図である。
【図１７】逆止弁を内蔵したガス置換用ノズルを示す各パーツの分解状態斜視図である。
【図１８】各パーツの分解斜視断面図である。
【図１９】各パーツの組付工程を示すものであり、初期段階の分解斜視断面図である。
【図２０】中間段階の分解斜視断面図である。
【図２１】組付け完了時の概略斜視断面図である。
【図２２】組付け時のポイントを説明するための概略断面図である。
【図２３】（ａ）は組付け完了時の概略透視図、（ｂ）は組付け完了時の概略断面図である。
【図２４】ガス置換工程を示し、（ａ）はガスを圧入しようとする段階の概略断面図、（ｂ）はガスが筒状中芯と弾性チューブとの間に送り込まれた状態の概略断面図である。
【図２５】（ａ）はガスが筒状中芯と弾性チューブとの間を移動している初期段階の概略断面図、（ｂ）はガスが筒状中芯と弾性チューブとの間を移動している後期段階の概略断面図である。
【図２６】（ａ）はガスが筒状中芯の通気口から抜け出ようとしている段階の概略断面図、（ｂ）はガスが筒状中芯から抜け出た段階の概略断面図である。
【図２７】ガス置換用ノズルの取付方法を説明するための概略斜視図である。
【図２８】本発明において使用される内容物の投入口の密閉機構としての袋止め用クリップにおける押え枠の概略斜視図である。
【図２９】外固定枠、一対のテーパ部材、前記弾性シートおよび押え枠の分解断面図である。
【図３０】外固定枠の両端部にそれぞれ保持枠を取り付けようとする状態を示す概略斜視図である。
【図３１】保持枠を取り付けた状態の概略斜視図である。
【図３２】外固定枠に押え枠を取り付けようとする状態の概略斜視図である。
【図３３】組付け完了時の概略斜視図である。
【図３４】袋止め用クリップを包材の投入口に取り付けようとする状態の概略斜視図である。
【図３５】包材の投入口を押え枠で挟み込んだ状態の概略斜視図である。
【図３６】袋止め用クリップの包材の投入口への取付け完了時の概略斜視図である。
【図３７】（ａ）は外固定枠に押え枠を取り付けようとする状態の概略断面図、（ｂ）は取付け完了時の概略断面図である。
【発明を実施するための形態】
【００１９】
本発明を説明するための図１ないし図８において、ガス置換型の収納袋１１は密閉可能な内容物の投入口１３を備えた軟質素材からなる包材１２と、該包材１２の適宜位置へ取り付けた、逆止弁５１を内蔵した真空吸引ノズル１４と、また前記包材１２の別の位置に取り付けた、逆止弁１７を内蔵したガス置換用ノズル１６とを備えている。
なお、図１に示すように、内容物Ｍ（説明の都合上、粉状体ないし粒状体に代えて球体を用いた。）は前記包材１２の大口の投入口１３から投入される。
図において、Ｂは底板、Ｃは内容物Ｍを収納するケースである。
【００２０】
軟質素材からなる包材１２の例としては、ガスバリア性のあるポリ塩化ビニリデン等のフィルム素材や、フィルム素材と金属箔等との積層材料等を挙げることができる。
いずれにしても内容物やどの程度のガスバリア性能を要求するか等に応じて適宜素材を選択することができる。
【００２１】
次に、図２に示すように包材１２の大口の投入口１３に、内容物の投入口の密閉機構としての袋止め用クリップ８１を取り付けて密封する。該袋止め用クリップ８１の詳細は後述する。
その上で、図３に示すように別途用意した真空吸引ポンプ３１を真空吸引ノズル１４の脱気口１４ａに接続し、図４に示すように、真空吸引ポンプ３１を作動して前記包材１２内の空気は排出する。図５は前記包材１２内部の空気が排出された状態を示すものである。
【００２２】
また、図６に示すように、別途用意した高圧でガスを送り込むことができるガス置換用ポンプ３２をガス置換用ノズル１６に接続し、図７に示すように、前記ガス置換用ポンプ３２を作動して前記包材１２内に適宜ガスを充填するのである。図８は前記包材１２内にガスが充填され、ガス置換が完了した状態を示すものである。
【００２３】
図９は、包材１２ａの両側に投入口１３ａ，１３ｂを設け、それぞれに袋止め用クリップ８１ａ，８１ｂを取り付けた状態を示すものである。なおこの例において内容物Ｍは、前記包材１２ａよりやや小さな面積の保持板１２ｂに設けた複数の収納凹部１２ｃ内にそれぞれ収納され、所定間隔で保持されるようになっている。
ちなみに、図において１８は前記包材１２の上部に設けた持手である。
【００２４】
次に、図１０ないし図１５は軟質素材からなる包材１２の適所に配設される逆止弁を内蔵した真空吸引ノズル１４を説明するためのものであり、図１０は該逆止弁を内蔵した真空吸引ノズル１４を構成する各パーツの分解状態の斜視図であり、図１１は各パーツの分解状態の斜視断面図である。
前記包材１２に取り付けられる逆止弁を内蔵した真空吸引ノズル１４は、上端に真空吸引ポンプ３１のチューブを装着する脱気口１４ａを突設した逆止弁用のハウジング４１と、該ハウジング４１内において弁口５２を前記脱気口１４ａ側に向けて配設された逆止弁５１と、該ハウジング４１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００２５】
上端に真空吸引ポンプのチューブを装着するための脱気口１４ａを突設した前記逆止弁用のハウジング４１は、前記包材１２に適宜手段で内装される。すなわち、前記ハウジング４１を外筒４３内にはめ込んだ上、その上から蓋体４４を取付けて前記脱気口１４ａを蓋体４４の丸穴４５から突出させるのである。４６は前記脱気口１４ａに着脱自在に取り付けられるキャップ、４７は前記ハウジング４１下面と外筒４３の上端との間に介在させたワッシャである。
その上で、前記包材１２と外筒４３とを例えばプラスチックフィルムどうしの加熱による溶着や、接着剤を使用して接合する。
【００２６】
前記ハウジング４１内において弁口５２を前記脱気口１４ａ側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００２７】
前記ハウジング４１内において、弁口５２を前記脱気口１４ａ側に向けて配設された逆止弁５１は、ゴム系あるいは樹脂系等からなる弾性素材によって弁口５２部分が外向きのアーチ状に形成されており、かつその頂部にマイナスもしくはプラス状のスリットが弁口５２として形成してある。
【００２８】
次に図１２ないし図１６において前記逆止弁１５を内蔵した真空吸引ノズル１４を構成する各パーツの組付け工程を説明する。
図１２は逆止弁５１のハウジング４１、フィルタ部材６１のそれぞれを組み付ける経過を示すものであり、前記逆止弁５１のハウジング４１と包材１２との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００２９】
次いで図１３および図１４に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図１５（ａ），（ｂ）はそれぞれ完成状態の斜視図および斜視断面図、図１６は包材内に逆止弁を内蔵した真空吸引ノズルを挿入しようとする状態の概略斜視図である。
【００３０】
なお、軟質素材からなる包材１２内の空気は逆止弁５１を介して真空吸引ポンプ３１を用いて脱気する。
すなわち、図３ないし図５に示すように真空吸引ポンプ３１のチューブを脱気口１４ａに装着する。
その後、真空吸引ポンプ３１を作動すれば、前記包材１２内の空気は排出されるものの、前記逆止弁５１で外気が包材１２内に逆流することはない。
【００３１】
図１７ないし図２７は軟質素材からなる包材１２の適所に配設される逆止弁１７を内蔵したガス置換用ノズル１６を説明するためのものであり、図１７は該逆止弁１７を内蔵したガス置換用ノズル１６を構成する各パーツの分解状態の斜視図であり、図１８は各パーツの分解状態の斜視断面図である。
前記逆止弁１７を内蔵したガス置換用ノズル１６は、上端にガス置換ポンプ３２のチューブを装着する挿気口７２を突設した逆止弁用のハウジング７１と、該ハウジング７１内に装着した、中仕切り７４を備えるとともに、該中仕切り７４の両側にそれぞれ通気口７５，７５を設けた筒状中芯７３と、該筒状中芯７３の外周に沿って配設し、その両端をそれぞれ結束バンド７６，７６で固定した弾性チューブ７７とからなる逆止弁１７を内蔵している。７８は不使用時に挿気口７２に装着しておく密栓である。
前記弾性チューブ７７の素材としては、ゴム系あるいは樹脂系等の弾性素材から適宜の性質のものを選択することができる。
【００３２】
前記逆止弁用のハウジング７１は、前記逆止弁１７を保持するハウジング本体７１ａと、パッキング７１ｃを介して取り付けた、上端にガス置換ポンプ３２のチューブを装着する挿気口７２を形成したキャップ７１ｂとを備えている。
その上で、ハウジング本体７１ａの内壁に形成した下つぼまりの傾斜面を備えた段差７１ｄに、前記弾性チューブ７７を固定する上部の結束バンド７６を係合させる。
【００３３】
次に図１９ないし図２７において前記逆止弁１７を内蔵したガス置換用ノズル１６を構成する各パーツの組付け工程を説明する。
まず、図１９に示すように、筒状中芯７３の外周に沿って弾性チューブ７７を配設し、その両端にそれぞれ結束バンド７６，７６を取り付ける。
次いで、図２０に示すように、ハウジング本体７１ａの上方から逆止弁１７を落とし込み、ハウジング本体７１ａの内壁に形成した下つぼまりの傾斜面を備えた段差７１ｄに上部の結束バンド７６を係合させて固定する。
その上で、図２１に示すように、ハウジング本体７１ａの上端にキャップ７１ｂを装着する。
その際、図２２に示すように、前記筒状中芯７３の上端を結束バンド７６の上部に突出させておき、前記結束バンド７６を前記段差７１ｄに係合させた状態で前記キャップ７１ｂをねじ込んで行けば、図２３に示すように、前記筒状中芯７３は上部に結束バンド７６に保持された状態でスライドし、適宜位置に保持される。
【００３４】
その上で、別途用意したガス置換用ポンプ３２をガス置換用ノズル１６に接続してガス置換用ポンプ３２を作動させた状態を図２４ないし図２６に示す。
すなわち、ガス置換用ポンプ３２を作動させると、図２４（ａ）に示すように前記挿気口７２から中仕切り７４に達し、筒状中芯７３内にガスが充満する。
さらにガスを送り続けると、図２４（ｂ）に示すように、そのガス圧で筒状中芯７３に設けた一方の通気口７５から筒状中芯７３と弾性チューブ７７との間に送り込まれる。
さらに送り込まれたガスは、図２５（ａ），（ｂ）のように筒状中芯７３と弾性チューブ７７との間を通って移動する。
その後ガスは、図２６（ａ），（ｂ）のように他方の通気口７５を通って前記包材１２内に充填されるのである。
図２７はガス置換用ノズル１６の取付方法を説明するためのものである。
【００３５】
図２８ないし図３７は本発明において使用される内容物の投入口の密閉機構としての袋止め用クリップを示すものである。
前記袋止め用クリップ８１は、弾性シート１０４の内面に沿って配置されるくさび式の押え枠８２を備えている。
図２８に示すように、本例の下向きの開口を備えたコ字状断面の押え枠８２は、その一端に外固定枠１０２の端部に形成した軸孔１０２ａと連通する軸孔８２ａが形成してある。
また、コ字状断面の押え枠８２の他端の外周には、筒状の抜止めストッパ８２ｂが固着されている。
図２９は前記外固定枠１０２、前記一対のテーパ部材１０３、前記弾性シート１０４および押え枠８２の分解状態を示すものである。
【００３６】
図３０は前記外固定枠１０２に左右一対のテーパ部材１０３を組み込み、さらに前記弾性シート１０４を前記外固定枠１０２のテーパ状の内面に沿って配設した上、前記外固定枠１０２の両端部にそれぞれ保持枠８３，８４を取り付けようとする状態を示すものである。
前記外固定枠１０２の端部に形成した軸孔１０２ａ側の保持枠８３は、基本的に前記外固定枠１０２の端部の外側にはめ込まれるコ字状の側壁８３ａおよび底壁８３ｂを備え、さらに長さ方向の壁面には押え枠８２の前記外固定枠１０２から突出する部分をはめ込むガイド部８３ｃが突設されている。８３ｄは前記外固定枠１０２の端部に固着するためのネジ孔である。
【００３７】
図３０において、他方の保持枠８４も、基本的に前記外固定枠１０２の端部の外側にはめ込まれるコ字状の側壁８４ａおよび底壁８４ｂを備え、さらに長さ方向の壁面には押え枠８２の前記外固定枠１０２から突出する部分をはめ込むＵ字状抜止め部８４ｃが突設されている。
図３１は前記外固定枠１０２の両端部にそれぞれ保持枠８３，８４を取り付けた状態を示すものであり、図３２はさらに前記外固定枠１０２に押え枠８２を軸着しようとする状態を示すものである。そして図３３のように、前記保持枠８３に設けた軸着用の欠損部８３ｅから、軸ピン８５を前記外固定枠１０２の端部に形成した軸孔１０２ａおよび押え枠８２の軸孔８２ａに挿通して軸着する。
【００３８】
その上で、図３４および図３７（ａ）に示すように、前記外固定枠１０２の開口部１０２ａから袋９１のシート状の開口部をはめ込み、その上から前記押え枠８２を首振りさせて押し込むのである。図３５はその状態を示すものであり、前記Ｕ字状抜止め部８４ｃの上部に設けた貫通孔８４ｄに抜止め用ピン８６をはめ込もうとしている状態を示している。
図３６および図３７（ｂ）は前記押え枠８２が前記袋９１を介して前記外固定枠１０２内に配置した弾性シート１０４の内面に圧入された状態を示すものである。
すなわち、前記コ字状の押え枠８２の端部が前記袋９１を介して前記外固定枠１０２内に配置した弾性シート１０４の内面にかみ合い、前記袋９１の開口部を確実に密閉するようになっている。
その際前記押え枠８２は、その先端に取り付けた前記抜止めストッパ８２ｂがＵ字状抜止め部８４ｃに取り付けた前記抜止め用ピン８６と係合し、確実に抜止めできるようになっている。
【００３９】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋９１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋９１の素材やその開口部のサイズ、使用目的（内容物その他）、前記押え枠や羽根板との相性等に応じて決定することができる。
【００４０】
本発明者が実験したところによれば、米や豆等の穀物、茶葉やシイタケ、魚介類等の生鮮食品やその乾物類、穀粉等を袋９１に詰めて真空吸引ポンプ機構で脱気し、さらにガス充填したところ、１年以上経過しても米や豆等の穀物、茶葉やシイタケ、魚介類等の生鮮食品やその乾物類、穀粉等は新鮮な状態に保たれたままであって何ら気密性が損なわれることはなく、充填物には変色等も見られなかった。
【産業上の利用可能性】
【００４１】
以上のように、本発明は粉末状や粒状体の食品やその他の物品を空気に触れさせないで保存するのに適した、新規なガス置換型の収納袋を提案したものであるが、本発明の趣旨を変更しない限り、その他の用途にも適用できることはいうまでもない。
【符号の説明】
【００４２】
１１  収納袋
１２  包材
１２ａ  包材
１２ｂ  保持板
１２ｃ  収納凹部
１３  投入口
１３ａ，１３ｂ  投入口
１４  真空吸引ノズル
１４ａ  脱気口
１５  逆止弁
１６  ガス置換用ノズル
１７  逆止弁
１８  持手
３１  真空吸引ポンプ
３２  ガス置換用ポンプ
４１  逆止弁用のハウジング
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ
７１  逆止弁用のハウジング
７１ａ  ハウジング本体
７１ｂ  キャップ
７１ｃ  パッキング
７１ｄ  段差
７２  挿気口
７３  筒状中芯
７４  中仕切り
７５，７５  通気口
７６，７６  結束バンド
７７  弾性チューブ
７８  密栓
８１  袋止め用クリップ
８１ａ，８１ｂ  袋止め用クリップ
８２  押え枠
８２ａ  軸孔
８２ｂ  抜止めストッパ
８３  保持枠
８３ａ  側壁
８３ｂ  底壁
８３ｃ  ガイド部
８３ｄ  ネジ孔
８３ｅ  欠損部
８４  保持枠
８４ａ  側壁
８４ｂ  底壁
８４ｃ  Ｕ字状抜止め部
８４ｄ  貫通孔
８５  軸ピン
８６  抜止め用ピン
９１  袋
１０２  外固定枠
１０２ａ  軸孔
１０２ｂ  開口部
１０３  テーパ部材
１０４  弾性シート
Ｍ  内容物
Ｂ  底板
Ｃ  ケース
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとで構成され、
前記逆止弁を内蔵した真空吸引ノズルは、前記包材内に収納した筒状フィルム製の連結部材を介して溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプを真空吸引ノズルに接続し、真空吸引ポンプを作動して前記包材内の空気を排出した場合においては、前記逆止弁で外気が包材内に逆流しないようになっており、別途用意したガス置換用ポンプをガス置換用ノズルに接続し、ガス置換用ポンプを作動して前記包材内に適宜ガスを充填可能としたガス置換型の収納袋において、
前記逆止弁を内蔵したガス置換用ノズルは、前記包材内に収納した筒状フィルム製の連結部材を介して溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことを特徴とするガス置換型の収納袋。
【請求項２】
前記逆止弁用のハウジングは、包材の適宜位置へ取り付けられるハウジング本体と、上端にガス置換ポンプのチューブを装着する挿気口を突設したキャップとを備え、前記弾性チューブを外周に沿って配設した筒状中芯を前記ハウジング本体の上からはめ込んで前記キャップをハウジング本体に取り付けるようにした請求項１に記載のガス置換型の収納袋。
【請求項３】
前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に下向きの突条を有するコ字状の押え枠とを備え、
前記外固定枠内に配置した弾性シートの内面に軟質素材からなる包材の内容物の投入口を介在させた上、前記コ字状の押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことを特徴する請求項１または２に記載のガス置換型の収納袋。
【請求項４】
前記外固定枠は、前記コ字状の押え枠の一端が前記外固定枠のどちらかの端部に回動可能に軸着してあり、前記押え枠が前記包材を介して前記外固定枠内に配置した弾性シートの内面に圧入されるようにしたことを特徴とする請求項３に記載のガス置換型の収納袋。
【手続補正２】
【補正対象書類名】明細書
【補正対象項目名】全文
【補正方法】変更
【補正の内容】
【発明の詳細な説明】
【技術分野】
【０００１】
本発明は、食品等を収納するための例えばプラスチックフィルム製の収納袋内の空気を、食品等が変質しないように不活性ガス等で置換することができるガス置換型の収納袋であり、特に粉末状や粒状体の食品やその他の物品を酸化させないで保存するのに適している。
【背景技術】
【０００２】
従来から、食品が入ったプラスチックフィルム製の収納袋内の空気を不活性ガス等で置換し、粉末状や粒状体の食品やその他の物品を酸化させないようにするガス置換のためのガス充填装置が種々提案されてきている。
しかしながら、そのようなガス置換のためのガス充填装置はいずれも非常に大型であり、また多大なコストをかけてガス置換するものであって、どこでも簡単にプラスチックフィルム製の収納袋内の空気をガス置換できるものとはなっていなかったのである。
【０００３】
例えば、特開２００６−３４７５６９号公報（特許文献１参照）には、粒状体の内容物が充填された容器内に更に液化ガスを充填してから容器を密封するような容器入り製品の製造方法において、容器内に内容物となる粒状体を充填してから、容器内に液化ガスを充填する際に、液化ガスを容器の胴部内面に沿わせて流入させることで、液化ガスを容器の底部付近にまで到達させることを特徴とする粒状体を内容物とする容器入り製品の製造方法が提案されている。
【先行技術文献】
【特許文献】
【０００４】
【特許文献１】特開２００６−３４７５６９号公報
【発明の概要】
【発明が解決しようとする課題】
【０００５】
しかしながら、いずれの技術も単に粉状体や粒状体の内部に含まれている空気を部分的に置換するようにしたものであり、粉末状や粒状体の食品やその他の物品を酸化させないようにするためには充分なものとはいえず、長期間の保存中に収納袋内の内容物が酸化あるいは変質してしまうという問題があった。
【０００６】
本発明はこの問題を解決するために創意工夫されたものであって、プラスチックフィルム製収納袋等の、とりわけ粉末状や粒状体の食品やその他の物品を空気に触れさせないで保存するのに適した、新規なガス置換型の収納袋を提供することを目的とするものである。
【課題を解決するための手段】
【０００７】
すなわち本発明のガス置換型の収納袋は、
密閉可能な内容物の投入口を備えた軟質素材からなる包材と、該包材の適宜位置へ取り付けた、逆止弁を内蔵した真空吸引ノズルと、また前記包材の別の位置に取り付けた、逆止弁を内蔵したガス置換用ノズルとで構成され、
前記逆止弁を内蔵した真空吸引ノズルは、前記包材内に収納した筒状フィルム製の連結部材を介して溶着され、上端に真空吸引ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、
別途用意した真空吸引ポンプを真空吸引ノズルに接続し、真空吸引ポンプを作動して前記包材内の空気を排出した場合においては、前記逆止弁で外気が包材内に逆流しないようになっており、別途用意したガス置換用ポンプをガス置換用ノズルに接続し、ガス置換用ポンプを作動して前記包材内に適宜ガスを充填可能としたガス置換型の収納袋において、
前記逆止弁を内蔵したガス置換用ノズルは、前記包材内に収納した筒状フィルム製の連結部材を介して溶着され、上端にガス置換ポンプのチューブを装着する挿気口を突設した逆止弁用のハウジングと、該ハウジング内に装着した、中仕切りを備えるとともに、該中仕切りの両側にそれぞれ通気口を設けた筒状中芯と、該筒状中芯の外周に沿って配設し、その両端をそれぞれ結束バンドで固定した弾性チューブからなる逆止弁を設けられており、別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを充填可能としたことを特徴とするものである。
【０００８】
また、本発明のガス置換型の収納袋の前記逆止弁用のハウジングは、包材の適宜位置へ取り付けられるハウジング本体と、上端にガス置換ポンプのチューブを装着する挿気口を突設したキャップとを備え、前記弾性チューブを外周に沿って配設した筒状中芯を前記ハウジング本体の上からはめ込んで前記キャップをハウジング本体に取り付けるようにしたことをも特徴とするものである。
【０００９】
本発明のガス置換型の収納袋の前記軟質素材からなる包材の内容物の投入口の密閉機構は、下向きに狭まるテーパ状の内面を備えた外固定枠と、前記外固定枠のテーパ状の内面に配置された弾性シートと、前記弾性シートの内面に沿って配置された、両側部に下向きの突条を有するコ字状の押え枠とを備え、
前記外固定枠内に配置した弾性シートの内面に軟質素材からなる包材の内容物の投入口を介在させた上、前記コ字状の押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたことをも特徴するものである。
【００１０】
本発明のガス置換型の収納袋の前記外固定枠は、前記コ字状の押え枠の一端が前記外固定枠のどちらかの端部に回動可能に軸着してあり、前記押え枠が前記包材を介して前記外固定枠内に配置した弾性シートの内面に圧入されるようにしたことをも特徴とするものである。
【発明の効果】
【００１１】
本発明のガス置換型の収納袋は、密閉可能な内容物の投入口を備えた軟質素材からなる包材に、逆止弁を内蔵した真空吸引ノズルと、逆止弁を内蔵したガス置換用ノズルとを取り付け、それぞれ別途用意した真空吸引ポンプを真空吸引ノズルに接続して前記包材内の空気を排出し、また別途用意したガス置換用ポンプをガス置換用ノズルに接続して前記包材内に適宜ガスを充填するようにしたものである。
したがって、粉状体や粒状体の内部に含まれている空気を完全にガス置換することができ、粉末状や粒状体の食品やその他の物品をほぼ完全に酸化あるいは変質させないようにすることが可能となり、長期間の保存の用途に耐え得る収納袋が提供できるのである。
【００１２】
また本発明のガス置換型の収納袋は、前記逆止弁を内蔵した真空吸引ノズルを採用し、逆止弁用のハウジングの脱気口に真空吸引ポンプのチューブを装着し、真空吸引ポンプを作動して前記包材内の空気を排出した場合においては、前記逆止弁で外気が包材内に逆流しないようになっている。したがって、ほぼ空気の残っていない状態でガス置換することができ、ガス置換効果の非常に高いガス置換型の収納袋を提供することができる。
【００１３】
本発明のガス置換型の収納袋は、逆止弁を内蔵したガス置換用ノズルを採用しており、該逆止弁は中仕切りを備えるとともに、該中仕切りの両側にそれぞれ通気口を設けた筒状中芯と、該筒状中芯の外周に沿って配設し、その両端をそれぞれ結束バンドで固定した弾性チューブからなるものであって、
別途用意したガス置換用ポンプをガス置換用ノズルに接続してガス置換用ポンプを作動すると、前記筒状中芯に設けた一方の通気口から筒状中芯と弾性チューブとの間を通って他方の通気口を通って前記包材内に適宜ガスを容易に充填することができる。
他方、ガス充填を中断あるいは停止しても、弾性チューブが筒状中芯の通気口を閉止するため、収納袋内からガスが逆流することはない。
【００１４】
本発明のガス置換型の収納袋は、前記軟質素材からなる包材の内容物の投入口の密閉機構が、下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、
前記外固定枠内に配置した弾性シートの内面に軟質素材からなる包材の内容物の投入口を介在させた上、前記押え枠をその開口部側からくさび式に押し込むことにより、前記コ字状の押え枠の端部が前記包材を介して前記外固定枠内に配置した弾性シートの内面にかみ合い、前記包材の内容物の投入口を確実に密閉するようにしたものである。
したがって、軟質素材からなる包材の内容物の投入口を広くとって内容物の収納あるいは取出しを無理なく行うことができ、しかも内容物の投入口を非常に簡単な操作で、かつ非常に密閉性の高い状態に保持することができるようになった。
【図面の簡単な説明】
【００１５】
【図１】本発明のガス置換型の収納袋の１実施例を示し、内容物を収納しようとする状態の概略斜視図である。
【図２】収納袋の投入口を閉じようとする状態の概略斜視図である。
【図３】真空吸引ポンプを真空吸引ノズルに取り付けようとする状態の概略斜視図である。
【図４】真空吸引ポンプを真空吸引ノズルに取り付けて、脱気しようとする状態の概略斜視図である。
【図５】脱気し終わった状態の収納袋の概略斜視図である。
【図６】ガス置換用ポンプをガス置換用ノズルに取り付けようとする状態の概略斜視図である。
【図７】ガス置換用ポンプをガス置換用ノズルに取り付けて、ガス置換しようとする状態の概略斜視図である。
【図８】ガス置換し終わった状態の収納袋の概略斜視図である。
【図９】本発明のガス置換型の収納袋の他の実施例を示す概略斜視図である。
【図１０】逆止弁を内蔵した真空吸引ノズルを示す各パーツの分解状態斜視図である。
【図１１】各パーツの分解斜視断面図である。
【図１２】各パーツの組付工程を示すものであり、初期段階の分解斜視断面図である。
【図１３】中間段階の分解斜視図である。
【図１４】中間段階の分解斜視断面図である。
【図１５】（ａ）は組付け完了時の概略斜視図、（ｂ）は組付け完了時の概略斜視断面図である。
【図１６】真空吸引ノズルの包材への取付方法を説明するための概略斜視図である。
【図１７】逆止弁を内蔵したガス置換用ノズルを示す各パーツの分解状態斜視図である。
【図１８】各パーツの分解斜視断面図である。
【図１９】各パーツの組付工程を示すものであり、初期段階の分解斜視断面図である。
【図２０】中間段階の分解斜視断面図である。
【図２１】組付け完了時の概略斜視断面図である。
【図２２】組付け時のポイントを説明するための概略断面図である。
【図２３】（ａ）は組付け完了時の概略透視図、（ｂ）は組付け完了時の概略断面図である。
【図２４】ガス置換工程を示し、（ａ）はガスを圧入しようとする段階の概略断面図、（ｂ）はガスが筒状中芯と弾性チューブとの間に送り込まれた状態の概略断面図である。
【図２５】（ａ）はガスが筒状中芯と弾性チューブとの間を移動している初期段階の概略断面図、（ｂ）はガスが筒状中芯と弾性チューブとの間を移動している後期段階の概略断面図である。
【図２６】（ａ）はガスが筒状中芯の通気口から抜け出ようとしている段階の概略断面図、（ｂ）はガスが筒状中芯から抜け出た段階の概略断面図である。
【図２７】ガス置換用ノズルの取付方法を説明するための概略斜視図である。
【図２８】本発明において使用される内容物の投入口の密閉機構としての袋止め用クリップにおける押え枠の概略斜視図である。
【図２９】外固定枠、一対のテーパ部材、前記弾性シートおよび押え枠の分解断面図である。
【図３０】外固定枠の両端部にそれぞれ保持枠を取り付けようとする状態を示す概略斜視図である。
【図３１】保持枠を取り付けた状態の概略斜視図である。
【図３２】外固定枠に押え枠を取り付けようとする状態の概略斜視図である。
【図３３】組付け完了時の概略斜視図である。
【図３４】袋止め用クリップを包材の投入口に取り付けようとする状態の概略斜視図である。
【図３５】包材の投入口を押え枠で挟み込んだ状態の概略斜視図である。
【図３６】袋止め用クリップの包材の投入口への取付け完了時の概略斜視図である。
【図３７】（ａ）は外固定枠に押え枠を取り付けようとする状態の概略断面図、（ｂ）は取付け完了時の概略断面図である。
【発明を実施するための形態】
【００１６】
本発明を説明するための図１ないし図８において、ガス置換型の収納袋１１は密閉可能な内容物の投入口１３を備えた軟質素材からなる包材１２と、該包材１２の適宜位置へ取り付けた、逆止弁５１を内蔵した真空吸引ノズル１４と、また前記包材１２の別の位置に取り付けた、逆止弁１７を内蔵したガス置換用ノズル１６とを備えている。
なお、図１に示すように、内容物Ｍ（説明の都合上、粉状体ないし粒状体に代えて球体を用いた。）は前記包材１２の大口の投入口１３から投入される。
図において、Ｂは底板、Ｃは内容物Ｍを収納するケースである。
【００１７】
軟質素材からなる包材１２の例としては、ガスバリア性のあるポリ塩化ビニリデン等のフィルム素材や、フィルム素材と金属箔等との積層材料等を挙げることができる。
いずれにしても内容物やどの程度のガスバリア性能を要求するか等に応じて適宜素材を選択することができる。
【００１８】
次に、図２に示すように包材１２の大口の投入口１３に、内容物の投入口の密閉機構としての袋止め用クリップ８１を取り付けて密封する。該袋止め用クリップ８１の詳細は後述する。
その上で、図３に示すように別途用意した真空吸引ポンプ３１を真空吸引ノズル１４の脱気口１４ａに接続し、図４に示すように、真空吸引ポンプ３１を作動して前記包材１２内の空気は排出する。図５は前記包材１２内部の空気が排出された状態を示すものである。
【００１９】
また、図６に示すように、別途用意した高圧でガスを送り込むことができるガス置換用ポンプ３２をガス置換用ノズル１６に接続し、図７に示すように、前記ガス置換用ポンプ３２を作動して前記包材１２内に適宜ガスを充填するのである。図８は前記包材１２内にガスが充填され、ガス置換が完了した状態を示すものである。
【００２０】
図９は、包材１２ａの両側に投入口１３ａ，１３ｂを設け、それぞれに袋止め用クリップ８１ａ，８１ｂを取り付けた状態を示すものである。なおこの例において内容物Ｍは、前記包材１２ａよりやや小さな面積の保持板１２ｂに設けた複数の収納凹部１２ｃ内にそれぞれ収納され、所定間隔で保持されるようになっている。
ちなみに、図において１８は前記包材１２の上部に設けた持手である。
【００２１】
次に、図１０ないし図１５は軟質素材からなる包材１２の適所に配設される逆止弁を内蔵した真空吸引ノズル１４を説明するためのものであり、図１０は該逆止弁を内蔵した真空吸引ノズル１４を構成する各パーツの分解状態の斜視図であり、図１１は各パーツの分解状態の斜視断面図である。
前記包材１２に取り付けられる逆止弁を内蔵した真空吸引ノズル１４は、上端に真空吸引ポンプ３１のチューブを装着する脱気口１４ａを突設した逆止弁用のハウジング４１と、該ハウジング４１内において弁口５２を前記脱気口１４ａ側に向けて配設された逆止弁５１と、該ハウジング４１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００２２】
上端に真空吸引ポンプのチューブを装着するための脱気口１４ａを突設した前記逆止弁用のハウジング４１は、前記包材１２に適宜手段で内装される。すなわち、前記ハウジング４１を外筒４３内にはめ込んだ上、その上から蓋体４４を取付けて前記脱気口１４ａを蓋体４４の丸穴４５から突出させるのである。４６は前記脱気口１４ａに着脱自在に取り付けられるキャップ、４７は前記ハウジング４１下面と外筒４３の上端との間に介在させたワッシャである。
その上で、前記包材１２と外筒４３とを例えばプラスチックフィルムどうしの加熱による溶着や、接着剤を使用して接合する。
【００２３】
前記ハウジング４１内において弁口５２を前記脱気口１４ａ側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００２４】
前記ハウジング４１内において、弁口５２を前記脱気口１４ａ側に向けて配設された逆止弁５１は、ゴム系あるいは樹脂系等からなる弾性素材によって弁口５２部分が外向きのアーチ状に形成されており、かつその頂部にマイナスもしくはプラス状のスリットが弁口５２として形成してある。
【００２５】
次に図１２ないし図１６において前記逆止弁１５を内蔵した真空吸引ノズル１４を構成する各パーツの組付け工程を説明する。
図１２は逆止弁５１のハウジング４１、フィルタ部材６１のそれぞれを組み付ける経過を示すものであり、前記逆止弁５１のハウジング４１と包材１２との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００２６】
次いで図１３および図１４に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図１５（ａ），（ｂ）はそれぞれ完成状態の斜視図および斜視断面図、図１６は包材内に逆止弁を内蔵した真空吸引ノズルを挿入しようとする状態の概略斜視図である。
【００２７】
なお、軟質素材からなる包材１２内の空気は逆止弁５１を介して真空吸引ポンプ３１を用いて脱気する。
すなわち、図３ないし図５に示すように真空吸引ポンプ３１のチューブを脱気口１４ａに装着する。
その後、真空吸引ポンプ３１を作動すれば、前記包材１２内の空気は排出されるものの、前記逆止弁５１で外気が包材１２内に逆流することはない。
【００２８】
図１７ないし図２７は軟質素材からなる包材１２の適所に配設される逆止弁１７を内蔵したガス置換用ノズル１６を説明するためのものであり、図１７は該逆止弁１７を内蔵したガス置換用ノズル１６を構成する各パーツの分解状態の斜視図であり、図１８は各パーツの分解状態の斜視断面図である。
前記逆止弁１７を内蔵したガス置換用ノズル１６は、上端にガス置換ポンプ３２のチューブを装着する挿気口７２を突設した逆止弁用のハウジング７１と、該ハウジング７１内に装着した、中仕切り７４を備えるとともに、該中仕切り７４の両側にそれぞれ通気口７５，７５を設けた筒状中芯７３と、該筒状中芯７３の外周に沿って配設し、その両端をそれぞれ結束バンド７６，７６で固定した弾性チューブ７７とからなる逆止弁１７を内蔵している。７８は不使用時に挿気口７２に装着しておく密栓である。
前記弾性チューブ７７の素材としては、ゴム系あるいは樹脂系等の弾性素材から適宜の性質のものを選択することができる。
【００２９】
前記逆止弁用のハウジング７１は、前記逆止弁１７を保持するハウジング本体７１ａと、パッキング７１ｃを介して取り付けた、上端にガス置換ポンプ３２のチューブを装着する挿気口７２を形成したキャップ７１ｂとを備えている。
その上で、ハウジング本体７１ａの内壁に形成した下つぼまりの傾斜面を備えた段差７１ｄに、前記弾性チューブ７７を固定する上部の結束バンド７６を係合させる。
【００３０】
次に図１９ないし図２７において前記逆止弁１７を内蔵したガス置換用ノズル１６を構成する各パーツの組付け工程を説明する。
まず、図１９に示すように、筒状中芯７３の外周に沿って弾性チューブ７７を配設し、その両端にそれぞれ結束バンド７６，７６を取り付ける。
次いで、図２０に示すように、ハウジング本体７１ａの上方から逆止弁１７を落とし込み、ハウジング本体７１ａの内壁に形成した下つぼまりの傾斜面を備えた段差７１ｄに上部の結束バンド７６を係合させて固定する。
その上で、図２１に示すように、ハウジング本体７１ａの上端にキャップ７１ｂを装着する。
その際、図２２に示すように、前記筒状中芯７３の上端を結束バンド７６の上部に突出させておき、前記結束バンド７６を前記段差７１ｄに係合させた状態で前記キャップ７１ｂをねじ込んで行けば、図２３に示すように、前記筒状中芯７３は上部に結束バンド７６に保持された状態でスライドし、適宜位置に保持される。
【００３１】
その上で、別途用意したガス置換用ポンプ３２をガス置換用ノズル１６に接続してガス置換用ポンプ３２を作動させた状態を図２４ないし図２６に示す。
すなわち、ガス置換用ポンプ３２を作動させると、図２４（ａ）に示すように前記挿気口７２から中仕切り７４に達し、筒状中芯７３内にガスが充満する。
さらにガスを送り続けると、図２４（ｂ）に示すように、そのガス圧で筒状中芯７３に設けた一方の通気口７５から筒状中芯７３と弾性チューブ７７との間に送り込まれる。
さらに送り込まれたガスは、図２５（ａ），（ｂ）のように筒状中芯７３と弾性チューブ７７との間を通って移動する。
その後ガスは、図２６（ａ），（ｂ）のように他方の通気口７５を通って前記包材１２内に充填されるのである。
図２７はガス置換用ノズル１６の取付方法を説明するためのものである。
【００３２】
図２８ないし図３７は本発明において使用される内容物の投入口の密閉機構としての袋止め用クリップを示すものである。
前記袋止め用クリップ８１は、弾性シート１０４の内面に沿って配置されるくさび式の押え枠８２を備えている。
図２８に示すように、本例の下向きの開口を備えたコ字状断面の押え枠８２は、その一端に外固定枠１０２の端部に形成した軸孔１０２ａと連通する軸孔８２ａが形成してある。
また、コ字状断面の押え枠８２の他端の外周には、筒状の抜止めストッパ８２ｂが固着されている。
図２９は前記外固定枠１０２、前記一対のテーパ部材１０３、前記弾性シート１０４および押え枠８２の分解状態を示すものである。
【００３３】
図３０は前記外固定枠１０２に左右一対のテーパ部材１０３を組み込み、さらに前記弾性シート１０４を前記外固定枠１０２のテーパ状の内面に沿って配設した上、前記外固定枠１０２の両端部にそれぞれ保持枠８３，８４を取り付けようとする状態を示すものである。
前記外固定枠１０２の端部に形成した軸孔１０２ａ側の保持枠８３は、基本的に前記外固定枠１０２の端部の外側にはめ込まれるコ字状の側壁８３ａおよび底壁８３ｂを備え、さらに長さ方向の壁面には押え枠８２の前記外固定枠１０２から突出する部分をはめ込むガイド部８３ｃが突設されている。８３ｄは前記外固定枠１０２の端部に固着するためのネジ孔である。
【００３４】
図３０において、他方の保持枠８４も、基本的に前記外固定枠１０２の端部の外側にはめ込まれるコ字状の側壁８４ａおよび底壁８４ｂを備え、さらに長さ方向の壁面には押え枠８２の前記外固定枠１０２から突出する部分をはめ込むＵ字状抜止め部８４ｃが突設されている。
図３１は前記外固定枠１０２の両端部にそれぞれ保持枠８３，８４を取り付けた状態を示すものであり、図３２はさらに前記外固定枠１０２に押え枠８２を軸着しようとする状態を示すものである。そして図３３のように、前記保持枠８３に設けた軸着用の欠損部８３ｅから、軸ピン８５を前記外固定枠１０２の端部に形成した軸孔１０２ａおよび押え枠８２の軸孔８２ａに挿通して軸着する。
【００３５】
その上で、図３４および図３７（ａ）に示すように、前記外固定枠１０２の開口部１０２ａから袋９１のシート状の開口部をはめ込み、その上から前記押え枠８２を首振りさせて押し込むのである。図３５はその状態を示すものであり、前記Ｕ字状抜止め部８４ｃの上部に設けた貫通孔８４ｄに抜止め用ピン８６をはめ込もうとしている状態を示している。
図３６および図３７（ｂ）は前記押え枠８２が前記袋９１を介して前記外固定枠１０２内に配置した弾性シート１０４の内面に圧入された状態を示すものである。
すなわち、前記コ字状の押え枠８２の端部が前記袋９１を介して前記外固定枠１０２内に配置した弾性シート１０４の内面にかみ合い、前記袋９１の開口部を確実に密閉するようになっている。
その際前記押え枠８２は、その先端に取り付けた前記抜止めストッパ８２ｂがＵ字状抜止め部８４ｃに取り付けた前記抜止め用ピン８６と係合し、確実に抜止めできるようになっている。
【００３６】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋９１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋９１の素材やその開口部のサイズ、使用目的（内容物その他）、前記押え枠や羽根板との相性等に応じて決定することができる。
【００３７】
本発明者が実験したところによれば、米や豆等の穀物、茶葉やシイタケ、魚介類等の生鮮食品やその乾物類、穀粉等を袋９１に詰めて真空吸引ポンプ機構で脱気し、さらにガス充填したところ、１年以上経過しても米や豆等の穀物、茶葉やシイタケ、魚介類等の生鮮食品やその乾物類、穀粉等は新鮮な状態に保たれたままであって何ら気密性が損なわれることはなく、充填物には変色等も見られなかった。
【産業上の利用可能性】
【００３８】
以上のように、本発明は粉末状や粒状体の食品やその他の物品を空気に触れさせないで保存するのに適した、新規なガス置換型の収納袋を提案したものであるが、本発明の趣旨を変更しない限り、その他の用途にも適用できることはいうまでもない。
【符号の説明】
【００３９】
１１  収納袋
１２  包材
１２ａ  包材
１２ｂ  保持板
１２ｃ  収納凹部
１３  投入口
１３ａ，１３ｂ  投入口
１４  真空吸引ノズル
１４ａ  脱気口
１５  逆止弁
１６  ガス置換用ノズル
１７  逆止弁
１８  持手
３１  真空吸引ポンプ
３２  ガス置換用ポンプ
４１  逆止弁用のハウジング
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ
７１  逆止弁用のハウジング
７１ａ  ハウジング本体
７１ｂ  キャップ
７１ｃ  パッキング
７１ｄ  段差
７２  挿気口
７３  筒状中芯
７４  中仕切り
７５，７５  通気口
７６，７６  結束バンド
７７  弾性チューブ
７８  密栓
８１  袋止め用クリップ
８１ａ，８１ｂ  袋止め用クリップ
８２  押え枠
８２ａ  軸孔
８２ｂ  抜止めストッパ
８３  保持枠
８３ａ  側壁
８３ｂ  底壁
８３ｃ  ガイド部
８３ｄ  ネジ孔
８３ｅ  欠損部
８４  保持枠
８４ａ  側壁
８４ｂ  底壁
８４ｃ  Ｕ字状抜止め部
８４ｄ  貫通孔
８５  軸ピン
８６  抜止め用ピン
９１  袋
１０２  外固定枠
１０２ａ  軸孔
１０２ｂ  開口部
１０３  テーパ部材
１０４  弾性シート
Ｍ  内容物
Ｂ  底板
Ｃ  ケース